(57)【要約】【課題】従来、液体さしと計量容器は別々のもので、液体の量を量りたいときは計量容器を用意して、一度液体を計量容器に入れて量を量らなければならなかった。【解決手段】液体さしと計量容器を一体化することにより、液体の計量が容易に行えるようにした。【選択図】図１
2004175384.tif 000002
【特許請求の範囲】
【請求項１】
蓋体と本体と計量容器部とからなる液体さしで、本体と着脱可能な蓋体には、液体を注ぐ注ぎ口と、液体を本体に入れる口である開閉可能な開口部と、本体の流出口をふさぐ役目をする軸と、軸を上げるスイッチであるボタンと、該ボタンを押すことによって該軸が上がる構造を備え、本体には計量容器部への流出口を備え、本体と着脱可能な計量容器部には、液体を注ぐ注ぎ口と、液体を計量するための目盛りを有し、該本体から該計量容器部へ液体の流入が行えることを特徴とする液体さし。
【請求項２】
蓋体に設けられたボタンを押下不可にするスイッチをを設けたことを特徴とする請求項１記載の液体さし。
【請求項３】
本体に脚を設け、計量容器部を取り外した状態でも本体が立つことができることを特徴とする請求項１、および請求項２記載の液体さし。
【発明の詳細な説明】
【０００１】
【発明の属する技術分野】
本発明は、液体さしの下部に液体を計量するための計量容器部、および液体を注ぐための注ぎ口を有し、液体さし本体から下部の計量容器部への液体の流入が行える液体さしに関するものである。
【０００２】
【従来の技術】
従来、液体さしと計量器は別々のもので、液体の量を量りたいときは計量器を用意して、一度液体を計量器に入れて量を量っていた。
【０００３】
【発明が解決しようとする課題】
しかしながら、上記の従来技術には次のような問題点があった。
イ）液体さしと計量器を用意しなければならない。
ロ）液体の量を量るときは、計量器を台の上に置いて液体さしから液体を入れる。あるいは、片手に計量器を持って、もう片方の手で液体さしを持って計量器に液体を入れるという手間があった。
このように、料理の最中に調味料などの液体の分量を量るのは非常にわずらわしい行為であった。料理に慣れてくると目分量で入れるようになるが、正確な量を入れるには相当な技術や経験が要求される。
そこで、本発明は、液体の計量が片手で手軽に行える液体さしの提供を目的とするものである。
【０００４】
【課題を解決するための手段】
上記の問題を解決するために、請求項１記載の発明は、液体さしの下部に計量する部分を設け、上部の液体さし本体から下部の計量容器部に液体を流入することができ、下部の計量容器部にも液体の注ぎ口を設けたことを特徴としている。
また、請求項２記載の発明は、計量容器部を使いたくないときに誤ってボタンを押してしまわないように、ボタンを押下不可にするスイッチを設けたことを特徴とする請求項１記載の液体さしである。
また、請求項３記載の発明は、計量容器部を外した状態でも本体が立つように、液体さし本体に脚を設けたことを特徴とする請求項１、および請求項２記載の液体さしである。
【０００５】
【発明の実施の形態】
以下、本発明の実施の形態を図面に基づき説明する。
図１は本発明の斜視図である。本発明の液体さしは、本体１と、本体１と着脱可能な蓋体４と、本体１と着脱可能な計量容器部１０から構成される。
【０００６】
蓋体４は開口部５とボタン７と軸押し上げ部８と蓋体注ぎ口９から構成される。開口部５は開閉可能な本発明の液体さしに液体を入れるための口である。開口部５を閉じることにより、中の液体は開口部５からこぼれないようになっている。ボタン７は押すことによって軸１７が上がり、本体１から計量容器部１０に液体が流れ落ちるようになっている。ボタン７をはなすと上がっていた軸１７は下がるようになっている。軸押し上げ部８とはボタン７、軸１７および軸１７が上がる構造に関わる部位全体をさして軸押し上げ部８とよんでいる。この軸押し上げ部８については後で詳しく説明する。蓋体注ぎ口９は本発明の液体さしを、液体の計量をしないで使用するときの液体の注ぎ口である。
【０００７】
本体１は本体傾斜部２と流出口３から構成される。本体１に入れられた液体は本体傾斜部２の傾斜により流出口３に液体が集まるようになっている。流出口３は普段は軸先端１８によってふさがれていて、本体１内部の液体が流出口３より流れ落ちないようになっている。ボタン７が押され、軸先端１８が上がることによって流出口３から計量容器部１０に液体が流れ落ちるようになっている。
【０００８】
計量容器部１０は計量容器部注ぎ口１１と計量容器部傾斜部１２と目盛り１３から構成される。計量容器部注ぎ口１１は計量した液体を使用するときの注ぎ口である。この計量容器部注ぎ口１１は蓋体４に付いた蓋体注ぎ口９とは反対方向に向けることにより、計量容器部１０の液体を注ごうとして本発明の液体さしを傾けても、本体１内部の液体はこぼれないようになっている。計量容器部傾斜部１２は小さじ一杯分等少量の液体を計量するために設けてある。目盛り１３によって計量容器部１０内の液体を計量することができる。
【０００９】
軸押し上げ部８の構造は図４、５、６のようになっている。軸先端１８が上がる構造を説明すると、ボタン７が押されることによってボタン側面壁下部１６が下がっていき、折曲板２１の力点部２２を押し下げる。折曲板２１はヒンジ状のもので、中心で折り曲がるようになっている。力点部２２が押し下げられることによって、突起部２５を支点とする、てこの原理によって折曲板２１の作用点部２３が上がり、軸のつば１９を押し上げる。よって、軸先端１８も上がる。このとき、軸のつば１９によってバネ２０は縮まる。この状態の断面図が図６の（ｂ）である。ボタン７をはなすと、バネ２０の弾性力によって軸のつば１９は押し下げられる。突起部２５と折曲板２１のてこの原理によってボタン７は押し上げられる。そして、ボタン側面のつば１５が蓋体４に引っかかってとまる。
【００１０】
軸押し上げ部８の個々の部位について説明する。ボタン７について説明すると、ボタン７内面には軸フレーム１４があり、軸１７の動きを安定させる作用になっている。ボタン側面のつば１５はボタン７が蓋体４から外れてしまうのを防止している。ボタン側面壁下部１６は折曲板２１の両端を押し下げる働きをする。次に軸１７について説明する。軸先端１８は本体１の流出口３をふさぐ役目をする。軸のつば１９は折曲板２１によって上方向の力、バネ２０によって下方向に力がかかる部分である。バネ２０は軸のつば１９、つまり軸１７を押し下げる働きをする。折曲板２１は中心に軸を通す穴のあいたヒンジ状に折り曲がるもので、てこの原理によりボタン７と軸１７を上下に動かす役目をする。中筒２４に設けられた突起部２５がてこの原理の支点の役割をしている。中筒軸フレーム２６は軸１７の動きを安定させるために設けてある。
【００１１】
本発明の液体さしの使用方法と仕組みを説明する。まず、開口部５より液体を入れる。このとき、流出口３は、バネ２０によって下方向に力のかかった軸先端１８によってふさがれているので、液体は計量容器部１０に流れ落ちないようになっている。普通に液体を注ぎたいときは、そのまま蓋体注ぎ口９の方向へ傾ける。液体を計量したいときは、目の高さに目盛り１３を持ってきてボタン７を押す。軸先端１８はボタン７が押されている間上がるので本体１内の液体が計量容器部１０に流れ落ちる。計量容器部１０に望む量がたまったらボタン７をはなす。すると、バネ２０によって軸先端１８が下がり流出口３がふさがれて、液体が流れ落ちなくなる。そして、計量容器部１０にたまった液体を注ぐために計量容器部注ぎ口１１の方向へ傾ける。
【００１２】
図７はボタンを押下不可にするスイッチ２７を設けた実施例の図である。この図はボタン７とスイッチ２７と蓋４周辺の簡略されたものである。（ａ）がスイッチ２７が「出」にある状態で、ボタン７が押下可能である。（ｂ）がスイッチ２７が「止」にある状態で、ボタン７が押下不可である。スイッチ２７が「出」にある状態では、挿入板２８がボタン側面挿入口２９に入っていないので、ボタン７を押すとボタン７は下がる。スイッチ２７を「止」の状態にすると、挿入板２８がボタン側面挿入口２９に入るので、ボタン７を押しても下がらないようになっている。よって、ボタン７を押しても計量容器部１０に液体が流れ落ちないようになっている。
【００１３】
図８は本体１に脚３０を設けた実施例の斜視図である。計量容器部１０を洗浄するなどの理由で取り外したときに、本体１を立たせるために本体１側面に脚３０を設けたものである。本体１を立たせるためのものとしては上記の脚３０ではなく、取り外し可能なスタンドのようなものでもよい。
【００１４】
図９は計量容器部１０の注ぎ口の形状を変えた斜視図および側面図である。計量容器部１０の液体は計量した後、すぐに使い切るものなので、保存に適した一般的な蓋体注ぎ口９のような形状ではなく、図９の計量容器部拡大注ぎ口３１のように口が大きく、注ぐのに適した形状でもよい。
【００１５】
本発明における軸を押し上げる構造は上記構造に限らず、てこの原理を利用したものや、図１０のように歯車３２を利用したものでもよい。また、軸を押し上げる起点としてボタンを使用しているがレバーやスイッチのようなものでもよい。また、流出口および軸先端の形状は三角錐となっているが、液体が流れ落ちないような構造ならよく、球状や円筒形でもよい。また、流出口は計量容器部底面近くまであるが、短くしてもよい。また、一度に大量の計量をするために計量容器部の計量容器部傾斜部はなくてもよい。また、中筒軸フレームはなくてもよい。
【００１６】
【発明の効果】
上記のように構成された本発明の液体さしによれば、料理の最中でも片手で用意に醤油等の液体の計量をすることができる。
【図面の簡単な説明】
【図１】本発明の液体さしの斜視図
【図２】本発明の液体さしの分解した斜視図
【図３】本発明の液体さしの断面図
【図４】本発明の液体さしの軸押し上げ部の一部断面斜視図
【図５】本発明の液体さしの軸押し上げ部の分解した斜視図
【図６】本発明の液体さしの軸押し上げ部の状態の断面図
【図７】本発明の液体さしにスイッチを設けた上面図および側面図および斜視図
【図８】本発明の液体さしに脚を設けた斜視図
【図９】本発明の液体さしの計量容器部注ぎ口を大きくした斜視図および側面図
【図１０】本発明の液体さしの軸押し上げ部に歯車を使用した形態の断面図
【符号の説明】
１  本体
３  流出口
４  蓋体
５  開口部
７  ボタン
８  軸押し上げ部
９  蓋体注ぎ口
１０  計量容器部
１１  計量容器部注ぎ口
１３  目盛り
１７  軸
１８  軸先端
２０  バネ
２１  折曲板
【図１】
2004175384.tif 000003
【図２】
2004175384.tif 000004
【図３】
2004175384.tif 000005
【図４】
2004175384.tif 000006
【図５】
2004175384.tif 000007
【図６】
2004175384.tif 000008
【図７】
2004175384.tif 000009
【図８】
2004175384.tif 000010
【図９】
2004175384.tif 000011
【図１０】
2004175384.tif 000012